(57)【要約】【課題】  検索システムにおける検索結果を表示に関し、特に検索結果の数件分のずらす表示の切替を容易に行う検索データ表示装置を提供する。【解決手段】  複数のデータから任意の検索が行なわれて抽出され何らかの基準に従って並べられた検索条件該当データを表示する検索データ表示装置１において、検索条件該当データを指定件数単位毎に１ページとして指定件数単位毎にページ切り替えて表示する表示手段６と、表示されている検索条件該当データの表示の開始の位置を所定の件数分だけ前方位置または後方位置にずらす表示開始位置変更手段７とを備え、所定の件数の数は指定件数単位の数より小さく設定され、表示手段６は、表示するページの前後のページに対応する検索条件該当データを記憶し、表示開始位置変更手段にて開始位置の切替が指示されると前後のページに対応する検索条件該当データを参照して指定件数単位にて成る所望ページを表示する。【選択図】        図１
2006285704.tif 000002
【特許請求の範囲】
【請求項１】
複数のデータから任意の検索が行なわれて抽出され何らかの基準に従って並べられた検索条件該当データを表示する検索データ表示装置において、上記検索条件該当データを指定件数単位毎に１ページとして上記指定件数単位毎にページ切り替えて表示する表示手段と、上記表示されている検索条件該当データの表示の開始の位置を所定の件数分だけ前方位置または後方位置にずらす表示開始位置変更手段とを備えたことを特徴とする検索データ表示装置。
【請求項２】
上記所定の件数を設定する移動件数設定手段を備えたことを特徴とする請求項１に記載の検索データ表示装置。
【請求項３】
上記移動件数設定手段は、上記設定される所定の件数の数の上限を上記指定件数よりも小さい値として設定し、上記表示手段は、表示するページの前後のページに対応する上記検索条件該当データを記憶し、上記表示開始位置変更手段に開始位置の切替が指示されると記憶している上記前後のページに対応する上記検索条件該当データを用いて所望ページを表示することを特徴とする請求項２に記載の検索データ表示装置。
【請求項４】
上記表示手段は、表示するページの前後の上記所定の件数分に対応する上記検索条件該当データを記憶し、上記表示開始位置変更手段に開始位置の切替が指示されると記憶している上記所定の件数分に対応する上記検索条件該当データを用いて所望ページを表示することを特徴とする請求項１または請求項２に記載の検索データ表示装置。
【請求項５】
複数のデータから任意の検索が行なわれて抽出され何らかの基準に従って並べられた検索条件該当データを表示する検索データ表示方法において、上記検索条件該当データを指定件数単位毎に１ページとして上記指定件数単位毎にページ切り替えて表示する表示工程と、上記表示されている検索条件該当データの表示の開始の位置を所定の件数分だけ前方位置または後方位置にずらす表示開始位置変更工程とを備えたことを特徴とする検索データ表示方法。
【請求項６】
上記所定の件数を設定する移動件数設定工程を備えたことを特徴とする請求項５に記載の検索データ表示方法。
【請求項７】
上記移動件数設定工程では、上記設定される所定の件数の数の上限を上記指定件数よりも小さい値として設定し、上記表示工程は、表示するページの前後のページに対応する上記検索条件該当データを記憶し、上記表示開始位置変更工程にて開始位置の切替が指示されると記憶している上記前後のページに対応する上記検索条件該当データを用いて所望ページを表示することを特徴とする請求項６に記載の検索データ表示方法。
【請求項８】
上記表示工程は、表示するページの前後の上記所定の件数分に対応する上記検索条件該当データを記憶し、上記表示開始位置変更工程にて開始位置の切替が指示されると記憶している上記所定の件数分に対応する上記検索条件該当データを用いて所望ページを表示することを特徴とする請求項５または請求項６に記載の検索データ表示方法。
【発明の詳細な説明】
【技術分野】
【０００１】
この発明は、検索システムにおける検索結果を表示する検索データ表示装置および検索データ表示方法に関するものである。
【背景技術】
【０００２】
従来のＷｅｂ等の検索システムでは、検索結果を指定された件数毎に表示し、指定された件数単位でのページ切替えを可能とする表示方法を採用している。例えば、物品購入のための製品比較データ検索において、従来のページ切替方式では、１ページに表示させる件数を増加させたり、絞り込み条件を変更するなどして、このようなニーズに対応している（例えば、特許文献１参照）。また、他の従来の場合、抽出された検索条件該当データの任意の位置を指定して、その位置から１ページ分を表示させるものがある。
【０００３】
【特許文献１】特開２００２−１７５３３０号公報
【発明の開示】
【発明が解決しようとする課題】
【０００４】
従来のＷｅｂ等の検索システムにおけるページ切替えによる表示方法では、表示されているページの最終行と次ページの先頭行にまたがった検索結果や、表示されているページの先頭行と前ページの最終行にまたがった検索結果を同時に表示するためには、１ページに表示させるデータ件数を変更するか、検索条件を変更して再検索を行う必要があった。このため、現在取得した検索結果に対し、前後数件のデータのみを加えた状態で検索結果を確認したい場合においても、データの再検索や新たな画面作成に時間がかかってしまうという問題点があった。また、またがっている検索結果を表示するために任意の位置を作業者が自ら計算を行って設定するため作業が繁雑になるという問題点があった。
【０００５】
この発明は上記のような課題を解決するためになされたものであり、１ページに表示させるデータ件数を変更したり、検索条件を再設定することなく、ページをまたがった検索条件該当データを連続して表示させることを容易に実現する検索データ表示装置および検索データ表示方法を提供することを目的とする。
【課題を解決するための手段】
【０００６】
この発明は、複数のデータから任意の検索が行われて抽出され何らかの基準に従って並べられた検索条件該当データを表示する検索データ表示装置において、検索条件該当データを指定件数単位毎に１ページとして指定件数単位毎にページ切替えて表示する表示手段と、表示されている検索条件該当データの表示の開始の位置を所定の件数分だけ前方位置または後方位置にずらす表示開始位置変更手段とを備えたものである。
【発明の効果】
【０００７】
この発明の検索データ表示装置は、複数のデータから任意の検索が行われて抽出され何らかの基準に従って並べられた検索条件該当データを表示する検索データ表示装置において、検索条件該当データを指定件数単位毎に１ページとして指定件数単位毎にページ切替えて表示する表示手段と、表示されている検索条件該当データの表示の開始の位置を所定の件数分だけ前方位置または後方位置にずらす表示開始位置変更手段とを備えので、検索条件該当データの表示を所定の件数分だけ前後にずらして表示することを容易に行うことができる。
【発明を実施するための最良の形態】
【０００８】
実施の形態１．
以下、本願発明の実施の形態について説明する。図１はこの発明の実施の形態１における検索データ表示装置の構成を示すブロック図、図２は図１に示した検索データ表示装置の動作を説明するためのフローチャート、図３は図１に示した検索データ表示装置における表示装置に表示される表示例を示した図である。図において、外部から検索語を入力するための入力装置２と、外部に検索条件該当データを表示する表示装置８と、データを抽出する検索データ表示装置１とを備え、検索データ表示装置１は入力装置２から検索語が入力される検索語入力手段３と、データ記憶部９より検出語に対応するデータを検出して抽出し何らかの基準に従って並べられた検索条件該当データとして抽出する検索語抽出手段４と、検索条件該当データを記憶する検索条件該当データ記憶部５とを備える。尚、検索条件該当データとは、所定の検索条件に該当するデータを指す。
【０００９】
さらに、検索条件該当データを指定件数単位に１ページとして指定件数単位にページ切替えて表示装置８に表示するとともに、表示するページおよび前後の所定の件数分に対応する検索条件該当データを記憶する表示手段６と、表示された検索条件該当データを所定の件数分だけ前方位置または後方位置に表示開始位置をずらす開始位置切替手段７とを備える。そして、表示手段６は、表示開始位置変更手段７にて開始位置の切替えが指示されると表示されている検索条件該当データより前後の所定の件数分に対応する検索条件該当データを参照して指定件数単位にてなる所望ページを表示する。
【００１０】
上記のように構成された実施の形態１の検索データ表示装置の動作について説明する。まず、入力装置２により検索語が入力され、この検索語が検査語入力手段３に入力され、検索語抽出手段４によりこの検索語を含むデータをデータ記憶部９からあらかじめ指定されている昇降順にて抽出する（図２のステップＳ１）。次に、抽出した検索条件該当データを検索条件該当データ記憶部９に記憶させ、指定件数単位、例えば１０件単位を１ページとして図３（ａ）に示すように表示装置８に表示する（図２のステップＳ２）。次に、表示された検索結果検索条件該当データの表示開始位置を入力装置２の指示により所定の件数分、ここでは一回の操作で所定の件数として２件だけ前方位置または後方位置まで順番を移動して変更する（図２のステップＳ３）。
【００１１】
入力装置２の操作方法としては、表示装置８に示されている例えば図３（ａ）の状態から、その中央上部に存在する△をクリックすれば表示開始位置が２件分前方位置に、▽をクリックすれば表示開始位置が２件分後方位置に表示される開始位置が変更されることとなる。ここででは△をクリックし（但し、ここではクリックされたことにより黒色の三角にて表示されている）、図３（ｂ）に示すように表示される開始位置が２１番目より２番前の１９番目に繰り上がり２８番目までの指定件数単位１０件が表示されることとなる。この際表示手段６には、表示装置８に表示される検索条件該当データ（図３（ａ））の２１番目から３０番目データに加え、前後の所定の件数分の検索条件該当データ、すなわち１９番目および２０番目と３１番目および３２番目との検索条件該当データもあわせて記憶させている。よって、表示開始位置変更手段７の指示により、表示結果データの開始位置を２件ずつ前方位置または後方位置にずらして、開始位置を変更して表示させた場合、検索条件該当データ記憶部５からその都度データを再検索するのではなく、表示手段６に保持する、表示中のページおよび表示中のページの前後の所定の件数分のデータを使用して、表示中の画面に所定の件数のデータ分を追加および削除するのみで画面を再構成することができる。
【００１２】
上記のように構成された実施の形態１の検索データ表示装置は、検索結果の表示範囲を、任意の開始点から表示するために、表示範囲を前方に所定の件数である１件またはＮ件ずつずらす機能と、逆に後方に１件またはＮ件ずつずらす機能を設けたものであり、現在表示されている画面の検索条件該当データおよび表示されている前後の所定の件数分の検索条件該当データを画面上に保持することにより、前後に表示範囲をずらす場合でも、データを再検索することなく表示内容をずらすことにより、開始点が変更された検索結果画面を高速に再表示することを実現するので、利用者は検索結果データの関連性および連続性（例えば、価格帯や発売日）を考慮した検索結果の表示を高速に得られる。
【００１３】
実施の形態２．
図４はこの発明の実施の形態２における検索データ表示装置の構成を示すブロック図、図５は図４に示した検索データ表示装置の動作を説明するためのフローチャート、図６は図４に示した検索データ表示装置における表示装置に表示される表示例を示した図である。上記実施の形態１では、表示結果に対し、表示開始位置変更手段７により、表示結果データの開始位置を１件ずつまたはあらかじめ設定されている所定の件数ずつ前方位置または後方位置にずらし、ずらした開始位置から検索結果を表示させる場合について述べたが、これに限られることはなく、移動件数設定手段１０を設け、入力装置２の指示により前方位置および後方位置に移動できる所定の件数（Ｎ件）を自由に設定できるようにする。よって、作業者における所定の件数単位で表示開始位置を移動して表示することができる。さらに、移動件数設定手段１０では、所定の件数の上限を表示装置８に表示される１ページあたりの指定件数より小さい数に設定されている。
【００１４】
図５に本願発明の実施の形態２の検索データ表示装置の動作のフローチャートを示す。まず、上記実施の形態１と同様に、入力装置２により検索語が入力され、この検索語が検査語入力手段３に入力され、検索語抽出手段４によりこの検索語を含むデータをデータ記憶部９からあらかじめ指定されている昇降順にて抽出する（図５のステップＳ１）。次に、抽出した検索条件該当データを検索条件該当データ記憶部９に記憶させ、指定件数単位、例えば１０件単位を１ページとして図６（ａ）に示すように表示装置８に表示する（図５のステップＳ２）。次に、入力装置２の指示により所定の件数が移動件数設定手段１０に入力され、移動件数が表示開始位置変更手段７に設定される（図５のステップＳ１０）。その設定された所定の件数は、図６（ａ）の右側上部に示されている移動件数の□内表示される。ここでは□内に４と表示されており、所定の件数が現時点において４件に設定されていることが確認できる。次に、上記実施の形態１と同様に、表示された検索結果検索条件該当データの表示開始位置を入力装置２の指示により所定の件数分、ここでは一回の操作で先ほど設定された所定の件数として４件だけ前方位置または後方位置まで順番を移動して変更する（図５のステップＳ３）。
【００１５】
入力装置２の操作方法としては、表示装置８に示されている例えば図６（ａ）の状態から、その中央上部に存在する△をクリックすれば表示開始位置が４件分前方位置に、▽をクリックすれば表示開始位置が４件分後方位置に表示される開始位置が変更されることとなる。ここででは△をクリックし（但し、ここではクリックされたことにより黒色の三角にて表示されている）、図６（ｂ）に示すように表示される開始位置が２１番目より４番目前の１７番目に繰り上がり２６番目までの指定件数単位１０件が表示されることとなる。この際表示手段６には、表示装置８に表示される検索条件該当データ（図６（ａ））の２１番目から３０番目データに加え、前後１ページ分、すなわち１１番目から２０番目および３１番目から４０番目の検索条件該当データもあわせて記憶させている。よって、表示開始位置変更手段７の指示により、表示結果データの開始位置を４件ずつ前方位置または後方位置にずらして、開始位置を変更して表示させた場合、検索条件該当データ記憶部５からその都度データを再検索するのではなく、表示手段６に保持する、表示中のページおよび前後１ページ分のデータを使用して、表示中の画面に所定の件数のデータ分を追加および削除するのみで画面を再構成することができる。
【００１６】
上記のように構成された実施の形態２の検索データ表示装置は、上記実施の形態１と同様の効果を奏するのはもちろんのこと、所定の件数を自由に設定して前後に位置をずらして表示することができるため、より一層利用者は検索結果データの関連性および連続性（例えば、価格帯や発売日）を考慮した検索結果の表示を得ることができる。また、その所定の件数の上限は表示される１ページあたりの指定件数より小さい数に設定されているため、表示手段に記憶されている検索条件該当データよりデータを再検索することなく表示内容をずらすことにより、開始点が変更された検索結果画面を高速に再表示することができる。
【００１７】
尚、上記各実施の形態では、表示手段に記憶しておく検索条件該当データを必要最小限、すなわち表示されている検索条件該当データの前後の所定の件数分または所定件数分記憶させて行う例を示したが、これに限られることはなく、例えば必要最小限の２倍の数の前後の検索条件該当データをあらかじめ記憶させておき、表示開始位置変更手段による２回分の切替えに対して直ちに対応することができるようにしてもよいことは言うまでもない。
【００１８】
また、上記各実施の形態では昇降させる所定の件数を、同一に設定する例を示したがこれに限られることはなく、所定の件数を前に移動させる場合の件数と、後ろに移動させる場合の件数とを別々に設定することも可能であることは言うまでもない。
【００１９】
また、上記各実施の形態では特に示していないが、検索条件該当データの何らかの基準に従って並べられた昇降位置は、入力装置からの指示により検索条件該当データ記憶部にて、または他の手段により容易に変更できることは言うまでもない。その場合はその変更された位置に応じて表示されることとなる。
【図面の簡単な説明】
【００２０】
【図１】この発明の実施の形態１の検索データ表示装置の構成を示すブロック図である。
【図２】図１に示した検索データ表示装置の動作を説明するためのフローチャートである。
【図３】図１に示した検索データ表示装置の表示例を示した図である。
【図４】この発明の実施の形態２の検索データ表示装置の構成を示すブロック図である。
【図５】図４に示した検索データ表示装置の動作を説明するためのフローチャートである。
【図６】図４に示した検索データ表示装置の表示例を示した図である。
【符号の説明】
【００２１】
１  検索データ表示装置、６  表示手段、７  表示開始位置変更手段、
１０  移動件数設定手段。
【図１】
2006285704.tif 000003
【図２】
2006285704.tif 000004
【図３】
2006285704.tif 000005
【図４】
2006285704.tif 000006
【図５】
2006285704.tif 000007
【図６】
2006285704.tif 000008